(57)【要約】【課題】  カードストッカ（収納部）に積層されたカード類を１枚ずつ確実に送り出すことができるカード類の送出し装置を得る。【解決手段】  収納部１０に積み重ねられたカード類３の上側に吸着装置２５を移動可能に配設し、この吸着装置による吸着力でカード類を１枚ずつ吸着して、そこから離れた上部前方に位置するカード送り搬送路５ａに向かって移送する。カード類が２枚以上であるか否かを検知し、１枚であればカード送出し口９から外部に送出し、２枚以上であれば積み重ねられたカード類の最上部に戻し、再度吸着動作を繰り返してカード類を１枚のみ外部に送出す。【選択図】図１
2013193879.tif 000002
【特許請求の範囲】
【請求項１】
複数枚のカード類を収納する収納部からカード類を１枚ずつ取り出し、該収納部の上部前方に位置するカード送り搬送路上に移送し、該カード送り搬送路により搬送して送出し口から１枚ずつ送出すカード類の送出し装置であって、
前記収納部の上方に配設され該収納部内に積み重ねられた複数枚のカード類から最上部に位置するカード類を１枚ずつ吸着して前記カード送り搬送路に移送する吸着装置を備え、
この吸着装置は、前記収納部内に積み重ねられた複数枚のカード類のうち最上部に位置するカード類を吸着し、下側のカード類から所定距離以上離れた上部前方に位置するカード送り搬送路に向かって移送するように構成されていることを特徴とするカード類の送出し装置。
【請求項２】
請求項１記載のカード類の送出し装置において、
前記吸着装置は、収納部上部において最上部に位置するカード類を吸着するとともに、その上部前方に位置するカード送り搬送路のカード受取端にカード類を移送するように移動可能に構成されていることを特徴とするカード類の送出し装置。
【請求項３】
請求項２記載のカード類の送出し装置において、
前記吸着装置は、外側フレームに設けた円弧状ガイド手段により斜め上方に移動するように案内支持されていることを特徴とするカード類の送出し装置。
【請求項４】
請求項１ないし請求項３のいずれか１項に記載のカード類の送出し装置において、
前記吸着装置は、吸着したカード類の後端を保持する逆Ｌ字状部材を備えたことを特徴とするカード類の送出し装置。
【請求項５】
請求項４記載のカード類の送出し装置において、
前記逆Ｌ字状部材は、前記カード類を前記吸着装置が吸着して移動するときは逆Ｌ字形状姿勢を維持し、カード類が２枚以上であることを検知して該カード類を前記収納部に戻すときには、該カード類を収納部に確実に戻すために逆Ｌ字形状姿勢での垂直部分を水平方向に跳ね上げた状態にするように構成されていることを特徴とするカード類の送出し装置。
【請求項６】
請求項１ないし請求項５のいずれか１項に記載のカード類の送出し装置において、
前記吸着装置により移送されたカード類を送出すカード送り搬送路に付設されカード類が１枚であるか、あるいは２枚以上であるか否かを検知する２枚検知手段を備えていることを特徴とするカード類の送出し装置。
【発明の詳細な説明】
【技術分野】
【０００１】  本発明は、例えばプリペイドカード、クレジットカード、ゲームカード等といった様々なカードやこれに類似する各種カードタイプの物品、あるいはこれらを袋詰めした物品（以下、「カード類」という）を順次搬送して送出し口から一枚ずつ送り出すカード類の送出し装置に関し、特にこの送出し装置においてカード類の収納部から送出し用搬送路に対してカードを吸着して移送するためのカード類移送用の吸着装置を備えてなるカード類の送出し装置に関する。
【背景技術】
【０００２】  例えばテレフォンカードを初めとする各種のプリペイドカードをストック部から一枚ずつ繰り出して搬送させ、送出し口から送り出すものとして、カードディスペンサーと呼ばれるカード送出機が従来から種々知られている。【０００３】  この種のカード送出機としては、多数枚のカードを積層した状態で収納したストック部において、その底部からカードを一枚ずつ繰り出して搬送させ、送出し口から送り出す構造のものと、ストック部にカードを積層状態で昇降動作させる昇降機構を備え、これによりストック部の頂部からカードを一枚ずつ繰り出して搬送させ、送出し口から送り出す構造のものとがあり、種々の構造が採用されている。【０００４】  これら従来のカード送出機のうち、後者の構造によるカードストック部の頂部からカードを一枚ずつ取り出して送出し用搬送路に送り、送出し口から送り出すようになっている。ここで、カードストック部から送出し用搬送路への取り出しは、カードストック部の上方で吸着装置を作動させてカード類を吸着することで行われている（例えば、特許文献１，２等参照）。
【先行技術文献】
【特許文献】
【０００５】
【特許文献１】  特許４４６１２４８号公報
【特許文献２】  特許４２９６３４０号公報
【発明の概要】
【発明が解決しようとする課題】
【０００６】  しかしながら、上述した構造による従来のカード送出機によれば、吸着装置により吸着したカード類の搬送路側への受け渡しの際の動作が煩雑であり、しかも確実に１枚ずつのカード類の受け渡しをするための吸着装置や吸着したカード類を運搬する運搬装置が必要であり、しかもこれらの装置に連動してカードストッカ部内でカード類を載置したテーブルを昇降動作させる等といった煩雑な動作を行わせる必要があり、動作面からも構造面がらも種々の問題をもつものであった。【０００７】  特に、上述した従来装置では、吸着装置によりカード類を吸着した後、前記テーブルを昇降動作させたり、該吸着装置により吸着されているカード類を送り用運搬装置等に引き合わすような構造を採用しており、構造が複雑で、コスト高を招くばかりでなく、面倒でしかも煩雑な操作を必要とする等の不具合があった。【０００８】  さらに、上述した従来装置では、吸着装置により２枚以上のカード類が吸着される虞れがあり、これを排除するための何らかの対策を講じることも望まれている。【０００９】  本発明はこのような事情に鑑みてなされたものであり、カードストッカ（収納部）に積層されたカード類を１枚ずつ確実に送出すことができ、しかも全体の構造が簡単で、コスト的にも安価なカード類の送出し装置を得ることを目的とする。
【課題を解決するための手段】
【００１０】  このような目的に応えるために本発明（請求項１記載の発明）に係るカード類の送出し装置は、複数枚のカード類を収納する収納部からカード類を１枚ずつ取り出し、該収納部の上部前方に位置するカード送り搬送路上に移送し、該カード送り搬送路により搬送して送出し口から１枚ずつ送出すカード類の送出し装置であって、前記収納部の上方に配設され該収納部内に積み重ねられた複数枚のカード類から最上部に位置するカード類を１枚ずつ吸着して前記カード送り搬送路に移送する吸着装置を備え、この吸着装置は、前記収納部内に積み重ねられた複数枚のカード類のうち最上部に位置するカード類を吸着し、下側のカード類から所定距離以上離れた上部前方に位置するカード送り搬送路に向かって移送するように構成されていることを特徴とする。【００１１】  本発明（請求項２記載の発明）に係るカード類の送出し装置は、請求項１において、前記吸着装置は、収納部上部において最上部に位置するカード類を吸着するとともに、その上部前方に位置するカード送り搬送路のカード受取端にカード類を移送するように移動可能に構成されていることを特徴とする。【００１２】  本発明（請求項３記載の発明）に係るカード類の送出し装置は、請求項２において、前記吸着装置は、外側フレームに設けた円弧状ガイド手段により斜め上方に移動するように案内支持されていることを特徴とする。【００１３】  本発明（請求項４記載の発明）に係るカード類の送出し装置は、請求項１ないし請求項３のいずれか１項において、前記吸着装置は、吸着したカード類の後端を保持する逆Ｌ字状部材を備えたことを特徴とする。【００１４】  本発明（請求項５記載の発明）に係るカード類の送出し装置は、請求項４において、前記逆Ｌ字状部材は、前記カード類を前記吸着装置が吸着して移動するときは逆Ｌ字形状姿勢を維持し、カード類が２枚以上であることを検知して該カード類を前記収納部に戻すときには、該カード類を収納部に確実に戻すために逆Ｌ字形状姿勢での垂直部分を水平方向に跳ね上げた状態にするように構成されていることを特徴とする。【００１５】  本発明（請求項６記載の発明）に係るカード類の送出し装置は、請求項１ないし請求項５のいずれか１項において、前記吸着装置により移送されたカード類を送出すカード送り搬送路に付設されカード類が１枚であるか、あるいは２枚以上であるか否かを検知する２枚検知手段を備えていることを特徴とする。
【発明の効果】
【００１６】  以上説明したように本発明に係るカード類の送出し装置によれば、収納部に積み重ねられたカード類を１枚ずつカード送り搬送路を介して送出し口からの送出しを行うにあたって、収納部内の最上部のカード類をその上部前方に位置するカード送り搬送路に向かって移動する吸着装置を用いて１枚ずつ移送するように構成したので、簡単な構成であるにもかかわらず、以下に述べる種々優れた効果を奏する。【００１７】  すなわち、本発明によれば、収納部に積み重ねられた複数枚のカード類のうち最上部のカード類を１枚ずつ吸着してカード送り搬送路のカード受取端まで移送し、該カード送り搬送路に受け渡すことが可能で、これにより１枚ずつのカード類の送出しを簡単にかつ円滑に行うことができる。【００１８】  特に、本発明によれば、カード類を収納部からその上部前方に位置するカード送り用搬送路に移送するために、カード類を吸着保持する吸着装置を斜め上方等に移動可能に構成しているから、簡単な構造であるにもかかわらず、収納部内での最上部のカード類を１枚ずつ吸着してカード送り用搬送路に移送することができる。【００１９】  さらに、本発明によれば、吸着装置に付設した逆Ｌ字状部材により該吸着装置に吸着したカードをカード後端部を保持することで確実に搬送路に搬送させ、２枚以上のカード類は収納部に戻すことができるため、装置稼働時において、複数枚のカード類を吸着することによる装置故障などを一掃することができ、稼働効率を大幅に向上させることができる。
【図面の簡単な説明】
【００２０】
【図１】  本発明に係るカード類の送出し装置の一実施例を示し、本発明を特徴づける構成とカードを吸着して上部前方に移送する状態を説明するための要部拡大断面図である。
【図２】  図１において、吸着装置の動作状態を説明するためのカード吸着前の状態を示す要部拡大断面図である。
【図３】  図１の吸着装置とカード類の収納部との関係を説明するための概略断面図である。
【図４】  本発明に係るカード類の送出し装置において全体の要部構成を説明するための概略斜視図である。
【図５】  本発明に係るカード類の送出し装置においてカード類の送出し口側から見た概略正面図である。
【発明を実施するための形態】
【００２１】  複数枚のカード類を積み重ねた状態で収納する収納部の上部に、最上部のカード類１枚を吸着保持するための吸着装置を設け、この吸着装置を、前記収納部の上部前方に位置するカード送り用搬送路に移送するために、外側フレーム側に設けた円弧状ガイド手段により斜め上方に円弧運動にて移動可能に構成するようにする。
【実施例１】
【００２２】  図１ないし図５は本発明に係るカード類の送出し装置の一実施例を示す。
これらの図において、符号１は本発明に係るカード類の送出し装置であり、この送出し装置１は、図３ないし図５に示すように、複数枚のカード類３（以下、カード３という）を積み重ねて収納する収納箱１０と、この収納箱１０内部でカード３を上下に移動させる昇降手段となる移動板３３と、この昇降手段である移動板３３で前記収納箱１０の上部に移動したカード３の最も上部に位置するカード３を吸着して上部前方に移動させて更に送出し方向へ移動させるカード送り用搬送路５ａを含む搬送手段５とを備えている。【００２３】  ここで、送出し装置１はこの搬送手段５で最上位置のカード３を送出し方向へ移動させるように構成された上出しタイプのカードディスペンサー２に採用した場合を示す。【００２４】  すなわち、この送出し装置１を採用したカードディスペンサー２の構成を詳述すると、図中１２はカード収納箱１０の内部でカードを載せる移動板３３を上下に移動させる駆動力を伝達する一対の上下移動ベルト（片側のみを示す）、１１は上下移動ベルトに駆動力を与える上下移動用モータ、３６は該上下移動用モータの回転を前記上下移動ベルト１２の上下移動に換えるベルト伝達ギヤで、該上下移動ベルト１２が上下方向に回動するための下端にあり、３７は上端で該上下移動ベルト１２を前記ベルト伝達ギヤ３６の上下方向へ回動するためのベルト支持ギヤである。【００２５】  さらに、上下移動信号を含む制御手段２３により、上下移動モータ１１が回転すると、伝達ギヤ３６が連動して回転し上下移動ベルト１２が回動すると、前記カードの移動板３３の一端に取付けられたベルト金具４７が上下移動ベルト１２の一部に固定され、上下移動用モータ１１が回転すると該ベルト１２が周回してカード移動板３３がカード収納箱１０を上下に移動する。そして、前記移動板３３が上昇し、この移動板に積載されている複数枚のカード３の最上のカード３が最上位置で停止するようにカード検知板４５とファン上下移動位置センサ２６で制御している。【００２６】  ここで、この最上位置は、カードの送出しの水平位置よりもかなり低く位置しており、本発明装置１による２枚取りを防止するための吸着装置２５を動作させるために低い位置にする必要がある。【００２７】  また、収納箱１０の裏蓋を開けると、裏蓋開閉センサ３０によりカード送出し装置１が無効になり、上下動モータ連結解除レバー３４を押し下げることで、モータのピニオンギヤと上下移動ベルトとの連結が解除され、移動板３３を下げてカードを補充することができる。裏蓋を閉めると、裏蓋開閉センサ３０が働いて移動板３３が上昇し、最上位置カード３の指定位置で止まる。【００２８】  このように、最上位置で停止した一番上のカード３がカードディスペンサー２から送出される本発明装置１の主要構成を、図１に示す。
その動作を詳述すると、外部から制御手段にカード払出し信号が入力されると、ファン駆動式の吸着装置２５が空気を吸い込んでカード３を吸着する。カード検知センサ２６がカード３を吸着したことを検知すると、アームクラッチ用ソレノイド２８が働いて図示しないアームクラッチがファン上下移動アーム３１を図中右回転方向に回動可能にする。【００２９】  そして、送出モータ２１が動作して送出モータのピニオンギヤ４８、カード送りベルト１９、移動ギヤ３８、ファン移動用ベルト２４、アーム伝達ギヤ３９、ファン上下移動アーム３１に一体に配設されているギヤを介して、ファン上下移動アーム３１が時計周りに回動し、そのアームの先端で吸着装置２５の両側面を押して上部前方へと斜め左上がりの円弧運動をして移動する。このとき、送出し装置１両側の外側フレームにおいて、手前の前と後、および、図示されない反対側の前と後とに設けられた円弧状ガイドとしての円弧状スリットの移動ガイド４０に沿って上部前方に向かって斜め上方に円弧運動にて移動する。最上カードを吸着装置２５のエアー吸着で６ｍｍほど上昇させ、円弧状の移動で上方へ１１〜１２ｍｍほど、前方へ２２．５ｍｍほど移動させる。上下送りギヤ４３、４４までは１６ｍｍほどなので、該上下送りギヤ４３、４４の間に入り込むようになる。【００３０】  ここで、吸着装置２５の両側面で前後に配設された４個のガイドバー４９が横方向に突出しており、該ガイドバー４９が該移動ガイド４０の円弧上を摺動する。カード吸着時は４箇所の該移動ガイド４０の下死点で安定的に支持され、確実に安定的にカードを吸着する。この吸着されたカードを上方で前方の離れたカード送り手段まで移動させて１枚のみカードを送出し手段に渡すために、前記ファン上下移動アーム３１で前記吸着装置２５の後端を押圧して、該吸着装置２５を移動ガイド４０に沿ってカードの位置を確保したままズレないでスムーズに運ぶことができる。該吸着装置２５が上死点に達すると移動ガイドの円弧状の水平に近い円弧上に乗るように安定に停止しており、スムーズに上下送りローラ４３、４４へカードを受け渡すことができる。【００３１】  さらに、吸着装置２５がカード３を吸着したまま上死点に達すると、カード３の先端が上下送りローラ４３、４４の間に入り込み、ファン上昇センサ２７の信号を受けて、上下送りローラ４３、４４がカードを前方へ送り出すように回転する。と同時に、ファン上下移動アームに配設のプレートがファン上昇センサ２７の遮光を解除してアームクラッチ用ソレノイドがＯＦＦしてクラッチが解除され、吸着装置２５が上死点で停止する。【００３２】  ここで、カード３が１枚の場合は、カード３は前方へ更に進んでいき、上下排出ローラ４１、４２が回転してカード３を外部へ排出する。一方、カード３が２枚以上の場合、２枚検知アーム２０の下端を僅かに上昇させて回動して上端のプレートが２枚検知センサ２２を遮り、２枚であることを検知して上下送りローラ４３、４４が逆回転してカード３が後退して移動板３３に乗せてあるカード３の束の上に戻す。【００３３】  すなわち、吸着装置２５が上端に達したとき、力−ド３の先端が上下送りローラ４３、４４間に入る。力−ドが１枚であ��ば、２枚検知センサ２２は２枚検知しないので、ソレノイド２８がＯＦＦして横位置を維持し、上下送りローラ４３、４４が回転して力−ドを送り、更に上下排出ローラ４１、４２が回転して力−ドを半分ほど外部へ排出する。このとき、（排出）力−ドセンサ１４は力−ドが排出送りされたことを検知する。そして、力ードストッパー１５が力−ド後端を押さえた状態で、力−ドが取り去られるのを待っている。また、吸着装置２５は動作停止し、送出モータ２１が停止する。【００３４】  次いで、その直後に、上下移動モータ１１が１秒間だけ逆回転し、ソレノイド２８がＯＮして送出モータ２１が逆回転して、ファン上下移動アーム３１が左回転して下向きになって吸着装置２５が力−ド吸着位置に戻る。ここでは、１秒間だけ逆回転することで、力−ド３２を載せた移動板３３が４ｃｍほど降下して停止する。【００３５】  その直後に、ソレノイド２８がＯＦＦして送出モータ２１が回転を停止する。このときには、吸着装置２５は力−ド吸着位置に戻っている。【００３６】  そして、１００ｍｓ後に上下移動モータ１１が回転して力−ドを積載した移動板３３が上昇して、最上位置力−ドが力−ド検知板４５を僅かに押し上げるとカード上限位置センサ２６が検知して移動板３３が停止し、力−ド３が吸着に最適な位置で待機し、以後上記の動作を繰り返す。【００３７】  ここで、上記のカード検出によって力−ド３が２枚であれば、上送りローラ４３に併設されている２枚検知アームの一端を押して該アームが僅かに回動し、他端が２枚検知センサ２２を遮光して２枚検知する。すると、吸着装置２５が、ソレノイド２８がＯＮし送出モータ２１が逆回転して、吸着装置２５が力−ド吸着位置２５に戻ると同時に、２枚重ねの力−ドを移動板３３上の積載された力−ドの一番上に戻す。
そして、再度、力−ド３の吸着・移動動作に入る。なお、この動作を３回繰り返して排出されれば問題ないが、３回までに排出に至らず、２枚検知センサ２２で２枚検知されたら、本装置１から外部に警告を発する。【００３８】  また、カード３が戻ると、アームクラッチ用ソレノイド２８がＯＮしてクラッチが働いてファン上下移動アーム３１が元に戻り、送出モータが反転してファン移動用ベルトも反転してファン付勢バネ２９の力も働き吸着装置２５は下死点に戻る。そして、再度、カード３を吸着、送り出し動作に入る。この動作を３回繰り返しても、１枚のみを排出できないときは、動作を停止して制御手段からの出力で外部装置に知らせる。【００３９】  ファン上下移動位置センサ２６の機能は、カード３が補充されたときや排出されたときに、移動板３３上の積載されたカード３が上昇すると、カード検知板４５を押し上げて該センサ２６を遮光した時点で上下移動モータ１１が回転を停止しカードの上昇を停止させ、一番上のカードの位置が決まる。また、カードを吸着した時には、カード３でカード検知板４５が押されて該センサー２６を遮光することで、カード移動・送出動作を行なう。【００４０】  前記センサ２６の奥にあり図示しないカード有無検知センサは、移動板３３上にカード３があるかないかをチェックしている。カード３がある場合は、該カード有無検知センサの反射光を受光するとカード３があること検出する。移動板３３上のカードが無くなったときには、移動板３３に穿設された角状孔によりカード有無検知センサの反射光を受光しないためカードが無くなったことを検知し、制御手段２３を介して外部に出力して知らせる。【００４１】  前記制御手段２３は、本装置１の動作を制御する。外部からの信号を受けて内蔵されているプログラムに従って本装置を動作させる。また、外部に本装置１の必要な情報を知らせる仲介の役割も持つ。【００４２】  また、ファン上昇センサ２７とその奥に配設されている図示されないファン下降センサは、アームクラッチ用ソレノイド２８のＯＦＦ／ＯＮを制御している。ファン上下移動アーム３１が下側にあり、それが右回転すると、吸着装置２５を収納箱１０の上部前方へ押しやる。該センサ２７がＯＮからＯＦＦになると、アームクラッチ用ソレノイド２８がＯＮからＯＦＦになってクラッチが引かれ、吸着装置２５の移動は停止する。カード３が排出されるか、後退して積載カード３に戻ると、ファン上下移動アーム３１が横位置にあるとき、ファン下降センサがＯＮになり、アームクラッチ用ソレノイド２８が働きクラッチが噛み合って、送出モータの動作により各機構を介してファン上下移動アーム３１が下位置に下がり、吸着装置２５がファン付勢バネ２９により元のカード吸着位置に戻る。【００４３】  前記アームクラッチ用ソレノイド２８がＯＮのとき、図示されないクラッチが働いてファン上下移動アームは回転／反転する。ソレノイドがＯＦＦのとき、上下アームは動かない。【００４４】  カード検知板４５は、吸着していないときは、カードが積載された移動板が上昇して最上カードがこの検知版４５の下端から上方へ押し上げて、この検知板４５の上端がカード吸着センサ２６を遮光した瞬間に移動板は停止し、���上位置のカードの位置が決まる。また、吸着時には、吸着したカードによりこの検知板４５が上方に押されることで、カード吸着センサ２６を遮光状態にすることで、吸着を検知している。【００４５】  ここで、下排出ローラ４４と下送りローラ４３は、送出モータの回転をカード送りベルトを介して回転する。また、上排出ローラ４１と上送りローラ４３は、それら上方のローラ付勢バネ１８により上下移動可能となっている。
さらに、カードストッパー１５は、１枚のカードが排出ローラで送られたとき、カードの前方部分を外部に、後方部分を本体内部で該カードストッパー１５で押さえてキープする。【００４６】  前記吸着装置２５の一部、ここではカード３の反送出し方向の端部に、本発明を特徴づける逆Ｌ字状部材としての逆Ｌ字状金具４６を設けている。この逆Ｌ字状金具４６は、吸着装置２５の一部に付設され、該吸着装置２５が収納箱１０内での一番上のカード３を吸着して、上方の前方へ移動する際、カード類３の後端を押さえる働きをする。【００４７】  この逆Ｌ字状金具４６は、吸着装置２５に対して略逆Ｌ字状を呈する状態で付設され、正常に１枚ずつのカード３の吸着、送出しを行っている通常時には、ばね等の付勢手段（図示せず）により付勢され、適宜の係止手段（図示せず）で係止されることにより、該吸着装置２５に吸着したカード３の後端を係止保持している。そして、該係止手段が２枚送りの際に係止解除されることにより、逆Ｌ字状金具４６が外れるようになっている。【００４８】  すなわち、２枚以上のカード３を吸着してしまったことを検知した際に、逆Ｌ字状金具４６が鉛直方向に存在していると、これが妨げとなってカード３が元のカード積載位置に戻せず、少しずれた位置に戻ることになる。したがって、吸着装置２５がカード３を収納箱１０内のカード積載位置に戻す場合には、この逆Ｌ字状金具４６の鉛直方向に延在している部分を後方に跳ね上げて水平姿勢となるように回動させ、カード３が戻るときの妨げとならないように構成している。【００４９】  以上の構成による本発明に係るカードの送出し装置１によれば、収納部に積み重ねられた複数枚のカード３のうち最上部のカード３を１枚ずつ吸着して斜め上方に向かって移送し、カード送り搬送路５ａを含む搬送手段５側に受け渡すことが可能で、これにより１枚ずつのカード３の送出しを簡単にかつ円滑に行うことができる。【００５０】  特に、カード３を収納部である収納箱１０からその上部前方に位置するカード送り用の搬送手段５に移送するために、カード３を吸着保持する吸着装置２５を円弧運動にて斜め上方に移動させているから、簡単な構造であるにもかかわらず、収納箱１０内での最上部のカード３を１枚ずつ吸着してカード送り用の搬送手段５に移送することができる。【００５１】  さらに、吸着装置２５に付設した逆Ｌ字状部材４６により吸着して確実に上部前方に移送でき、２枚以上のカード３は収納部に戻すことができるため、装置稼働時において、複数枚のカード３を吸着することによる装置故障などを一掃することができ、稼働効率を大幅に向上させることができる。【００５２】  なお、本発明は上述した実施例で説明した構造には限定されず、カード３の送出し装置１を構成する各部の形状、構造等を適宜変形、変更し得ることは言うまでもない。
また、上述した実施例では、上述したように上出しタイプのカードディスペンサー２に適用した場合を説明したが、本発明はこれに限定されず、種々の分野に用いられる機器、装置に採用してよいことは言うまでもない。
さらに、カードとしても、従来から周知のようなカード状物品の送出しに採用できるものであればどのようなものでもよい。
【符号の説明】
【００５３】  １  カード類の送出し装置
２  カードディスペンサー
３  カード類（カード）
５  搬送手段（カード送り用搬送路５ａ）
９  カード送出し口
１０  収納箱（収納部；カードストッカ）
１１  上下移動モータ
１２  上下移動ベルト
１４  カード（排出）センサ
１５  カードストッパー
１８  ローラ付勢バネ
１９  カード送りベルト
２０  ２枚検知アーム
２１  送出モータ
２２  ２枚検知センサ
２３  制御手段
２４  ファン移動用ベルト
２５  ファン駆動式の吸着装置
２６  ファン上下移動位置センサ（カード上限位置センサ；カード有無センサ付き）
２７  ファン上昇センサ（ファン前方／上昇センサ；ファン後方／下降センサ付き）
２８  アームクラッチ用ソレノイド
２９  ファン付勢バネ
３０  裏蓋開閉センサ
３１  ファン上下移動アーム
３３  移動板（カード積載板；昇降装置）
３４  上下動モータ連結解除レバー
３５  裏蓋
３６  ベルト伝達ギヤ
３７  ベルト支持ギヤ
３８  ファン移動ギヤ
３９  アーム伝達ギヤ
４０  移動ガイド（円弧状ガイド）
４１  上排出ローラ
４２  下排出ローラ
４３  上送りローラ
４４  下送りローラ
４５  カード検知板
４６  逆Ｌ字状金具（逆Ｌ字状部材）
４７  ベルト金具
４８  ピニオンギヤ
４９  ガイドバー
【図１】
2013193879.tif 000003
【図２】
2013193879.tif 000004
【図３】
2013193879.tif 000005
【図４】
2013193879.tif 000006
【図５】
2013193879.tif 000007